(57)【要約】【要  約】【課  題】    空調用室内機および温水暖房装置の両者を作動させるヒートポンプ式冷暖房装置において、給湯機能を設けた場合に、給湯が、暖房や冷房の運転状況に影響されることを防止する。【解決手段】  流路切換機構（６，１１）が、暖房時には圧縮機（１）からの冷媒が室内熱交換器（３１）、膨張弁（３６）および室外熱交換器（３４）を順次通って圧縮機に戻るとともに、圧縮機から冷媒対循環水熱交換器（７）および給湯用熱交換器（８）に流れた冷媒が膨張弁および室外熱交換器を順次通って圧縮機に戻るように冷媒流路を切り換える。そして、冷房時には圧縮機からの冷媒が室外熱交換器、膨張弁および室内熱交換器を順次通って圧縮機に戻るとともに、圧縮機から給湯用熱交換器に流れた冷媒が膨張弁および室内熱交換器を順次通って圧縮機に戻るように冷媒流路を切り換える。【選択図】  図１
2005147409.tif 000002
【特許請求の範囲】
【請求項１】
ガス状の冷媒を吸い込んで圧縮して吐出する圧縮機と、
この圧縮機の吐出口と接続されて冷媒と循環水とを熱交換する冷媒対循環水熱交換器と、
この冷媒対循環水熱交換器の冷媒の流れを開閉制御する冷媒対循環水熱交換器用制御弁と、
前記圧縮機の吐出口に前記冷媒対循環水熱交換器と並列に接続されて冷媒と水道水とを熱交換する給湯用熱交換器と、
前記冷媒が流れるとともに室外に設置される室外熱交換器と、
前記冷媒が流れて室内を空調する室内熱交換器と、
前記室外熱交換器と室内熱交換器との間の流路に配置されている膨張弁と、
暖房時には圧縮機からの冷媒が前記室内熱交換器、膨張弁および室外熱交換器を順次通って圧縮機に戻るとともに、圧縮機から冷媒対循環水熱交換器および給湯用熱交換器に流れた冷媒が膨張弁および室外熱交換器を順次通って圧縮機に戻るように冷媒流路を切り換え、冷房時には圧縮機からの冷媒が室外熱交換器、前記膨張弁および室内熱交換器を順次通って圧縮機に戻るとともに、圧縮機から給湯用熱交換器に流れた冷媒が膨張弁および室内熱交換器を順次通って圧縮機に戻るように冷媒流路を切り換える流路切換機構とを備えていることを特徴とするヒートポンプ式冷暖房装置。
【請求項２】
ガス状の冷媒を吸い込んで圧縮して吐出する圧縮機と、
この圧縮機の吐出口と接続されて冷媒と循環水とを熱交換する冷媒対循環水熱交換器と、
この冷媒対循環水熱交換器への冷媒の流れを開閉制御する冷媒対循環水熱交換器用制御弁と、
前記圧縮機の吐出口に前記冷媒対循環水熱交換器と並列に接続されて冷媒と水道水とを熱交換する給湯用熱交換器と、
前記冷媒が流れるとともに室外に設置される室外熱交換器と、
前記冷媒が流れて室内を空調する室内熱交換器と、
前記室外熱交換器と室内熱交換器との間の流路に配置されている膨張弁と、
暖房時には圧縮機からの冷媒が前記室内熱交換器、膨張弁および室外熱交換器を順次通って圧縮機に戻るように冷媒流路を切り換え、冷房時には圧縮機からの冷媒が室外熱交換器、前記膨張弁および室内熱交換器を順次通って圧縮機に戻るように冷媒流路を切り換える暖冷房切換用冷媒流路切換機構と、
前記冷媒対循環水熱交換器および給湯用熱交換器からの冷媒が前記膨張弁の上流側に流入するように冷媒流路を切り換える給湯用冷媒流路切換機構とを備えていることを特徴とするヒートポンプ式冷暖房装置。
【請求項３】
ガス状の冷媒を吸い込んで圧縮して吐出する圧縮機と、
この圧縮機の吐出口と接続されて冷媒と循環水とを熱交換する冷媒対循環水熱交換器と、
この冷媒対循環水熱交換器への冷媒の流れを開閉制御する冷媒対循環水熱交換器用制御弁と、
前記圧縮機の吐出口に前記冷媒対循環水熱交換器と並列に接続されて冷媒と水道水とを熱交換する給湯用熱交換器と、
前記冷媒が流れるとともに室外に設置される室外熱交換器と、
前記冷媒が流れて室内を空調する室内熱交換器と、
前記圧縮機の吐出口、圧縮機の吸込口、室内熱交換器および室外熱交換器に接続されて、圧縮機の吐出口を室外熱交換器または室内熱交換器の一方に、圧縮機の吸込口を室外熱交換器または室内熱交換器の他方に切り換えて接続する四方切換弁と、
前記室外熱交換器と室内熱交換器との間の流路に配置されている膨張弁と、
前記冷媒対循環水熱交換器および給湯用熱交換器からの冷媒流路を、前記膨張弁と室外熱交換器との間の冷媒流路、または、前記膨張弁と室内熱交換器との間の冷媒流路に切り換えて接続する三方切換弁とを備えていることを特徴とするヒートポンプ式冷暖房装置。
【発明の詳細な説明】
【技術分野】
【０００１】
本発明は、ヒートポンプ式室外機からの冷媒により、空調用室内機および、床暖パネルやラジエターなどの温水暖房装置を作動させるヒートポンプ式冷暖房装置に関する。
【背景技術】
【０００２】
従来のヒートポンプ式冷暖房装置においては、たとえば特許文献１に記載されているように、１台の圧縮機で、空調用室内機および床暖房機の両者を作動させている。しかしながら、上記特許文献１に記載されたものは、給湯機能を具備していない。
【特許文献１】特開平１１−２８７５０１号公報
【発明の開示】
【発明が解決しようとする課題】
【０００３】
解決しようとする問題点は、空調用室内機および温水暖房装置の両者を作動させるヒートポンプ式冷暖房装置において、給湯機能を設けた場合に、給湯が、暖房や冷房の運転状況に影響される点である。
【課題を解決するための手段】
【０００４】
本発明のヒートポンプ式冷暖房装置は、ガス状の冷媒を吸い込んで圧縮して吐出する圧縮機（１）と、この圧縮機の吐出口（１ａ）と接続されて冷媒と循環水とを熱交換する冷媒対循環水熱交換器（７）と、この冷媒対循環水熱交換器の冷媒の流れを開閉制御する冷媒対循環水熱交換器用制御弁（９）と、前記圧縮機の吐出口に前記冷媒対循環水熱交換器と並列に接続されて冷媒と水道水とを熱交換する給湯用熱交換器（８）と、前記冷媒が流れるとともに室外に設置される室外熱交換器（３４）と、前記冷媒が流れて室内を空調する室内熱交換器（３１）と、前記室外熱交換器と室内熱交換器との間の流路に配置されている膨張弁（３６）と、暖房時には圧縮機からの冷媒が前記室内熱交換器、膨張弁および室外熱交換器を順次通って圧縮機に戻るとともに、圧縮機から冷媒対循環水熱交換器および給湯用熱交換器に流れた冷媒が膨張弁および室外熱交換器を順次通って圧縮機に戻るように冷媒流路を切り換え、冷房時には圧縮機からの冷媒が室外熱交換器、前記膨張弁および室内熱交換器を順次通って圧縮機に戻るとともに、圧縮機から給湯用熱交換器に流れた冷媒が膨張弁および室内熱交換器を順次通って圧縮機に戻るように冷媒流路を切り換える流路切換機構（６，１１）とを備えている。
【０００５】
また、前記流路切換機構が、暖房時には圧縮機からの冷媒が前記室内熱交換器、膨張弁および室外熱交換器を順次通って圧縮機に戻るように冷媒流路を切り換え、冷房時には圧縮機からの冷媒が室外熱交換器、前記膨張弁および室内熱交換器を順次通って圧縮機に戻るように冷媒流路を切り換える暖冷房切換用冷媒流路切換機構および、前記冷媒対循環水熱交換器および給湯用熱交換器からの冷媒が前記膨張弁の上流側に流入するように冷媒流路を切り換える給湯用冷媒流路切換機構で構成されていることがある。
【０００６】
さらに、前記暖冷房切換用冷媒流路切換機構が四方切換弁で構成され、前記給湯用冷媒流路切換機構が三方切換弁で構成されていることがある。
【発明の効果】
【０００７】
本発明によれば、暖房時には圧縮機からの冷媒が室内熱交換器、膨張弁および室外熱交換器を順次通って圧縮機に戻るとともに、圧縮機から冷媒対循環水熱交換器および給湯用熱交換器に流れた冷媒が膨張弁および室外熱交換器を順次通って圧縮機に戻るように冷媒流路を切り換えられ、かつ、冷房時には圧縮機からの冷媒が室外熱交換器、膨張弁および室内熱交換器を順次通って圧縮機に戻るとともに、圧縮機から給湯用熱交換器に流れた冷媒が膨張弁および室内熱交換器を順次通って圧縮機に戻るように冷媒流路が切り換えられているので、暖房時および冷房時の両者において、水道水を加熱して給湯することができる。しかも、暖房時において、圧縮機から吐出されて給湯用熱交換器を流れる冷媒は、室内熱交換器を通らずに、膨張弁の上流側に流入している。そのため、室内熱交換器による暖房に影響を与えたり、また、室内熱交換器による暖房により影響を与えられたりせずに、給湯用熱交換器を流れる冷媒で水道水を加熱して給湯することができる。その結果、暖房運転の状況に影響されずに、給湯することができる。
【発明を実施するための最良の形態】
【０００８】
空調用室内機および床暖房機の両者を作動させるヒートポンプ式冷暖房装置において、暖房や冷房の運転状況に影響されないで、給湯を行うという目的を、冷媒流路の切り換えで、圧縮機から給湯用熱交換器を通って流れ出た冷媒を、室内熱交換器や室外熱交換器を介さずに、膨張弁の上流側に流入させることにより実現した。
【実施例１】
【０００９】
次に、本発明におけるヒートポンプ式冷暖房装置の一実施例について、図１および図２を用いて説明する。図１は本発明における実施例のヒートポンプ式冷暖房装置の暖房運転モードの状態での概略の冷媒回路図である。図２は図１のヒートポンプ式冷暖房装置が冷房運転モードに切り換わった状態での冷媒回路図である。図１および図２において、冷媒流路は実線で、水流路は破線で図示されている。
【００１０】
ヒートポンプ式冷暖房装置は、図１および図２に図示する様に冷凍サイクルで構成されており、圧縮機１は、ガス状の冷媒（たとえば、Ｒ４１０Ａ、Ｒ２２、ＣＯ2 など）を圧縮して高温の冷媒を生成し、その吐出口１ａから冷媒が吐出される。この圧縮機１の吐出口１ａからの冷媒流路は３本に分岐し、各々、暖冷房切換用冷媒流路切換機構である四方切換弁６の第１ポート６ａ、冷媒対循環水熱交換器７の冷媒入口７ａおよび給湯用熱交換器８の冷媒入口８ａに接続されている。冷媒対循環水熱交換器用制御弁である開閉弁９が、冷媒対循環水熱交換器７の冷媒の流れを開閉制御している。そして、冷媒対循環水熱交換器７の冷媒出口７ｂおよび給湯用熱交換器８の冷媒出口８ｂが合流して給湯用冷媒流路切換機構である三方切換弁１１の第１ポート１１ａに接続される。給湯用冷媒流路切換機構である三方切換弁１１および、前述の暖冷房切換用冷媒流路切換機構である四方切換弁６で、ヒートポンプ式冷暖房装置の流路切換機構が構成されている。
【００１１】
冷媒対循環水熱交換器７は、圧縮機１からの冷媒と循環水とを熱交換しており、この熱交換で循環水を加熱する。そして、加熱された冷媒対循環水熱交換器７からの循環水は、往き流路１６を流れ、温水暖房装置である床暖パネル１７に流入し加熱する。床暖パネル１７から流れ出た循環水は、戻り流路１８を流れ、所謂膨張タンクであるシスターンタンク１９および循環水を循環させる循環ポンプ２１を介して冷媒対循環水熱交換器７に戻る。
【００１２】
また、給湯用熱交換器８は二重管構造で水道管に接続され、圧縮機１からの冷媒と水道水とを熱交換しており、この熱交換で水道水を加熱する。そして、加熱された給湯用熱交換器８からの水道水は、給湯用熱交換器８に水流路で接続されている給湯タンク２６に流入する。この給湯タンク２６には、補助熱源であるヒーター２７が設けられている。そして、給湯栓２８を開けると、給湯タンク２６の水が給湯栓２８から流れ出す。
【００１３】
四方切換弁６の第２ポート６ｂは、空調用の室内熱交換器３１の第１冷媒口３１ａに接続され、四方切換弁６の第３ポート６ｃはアキュムレータ３２を介して圧縮機１の吸込口１ｂに接続され、また、四方切換弁６の第４ポート６ｄは室外熱交換器３４の第１冷媒口３４ａに接続されている。四方切換弁６は、図１に図示する暖房運転モードの際には、第１ポート６ａと第２ポート６ｂとを連通させるとともに、第３ポート６ｃと第４ポート６ｄとを連通させる。一方、図２に図示する冷房運転モードの際には、第１ポート６ａと第４ポート６ｄとを連通させるとともに、第２ポート６ｂと第３ポート６ｃとを連通させる。室内熱交換器３１は冷媒と室内の空気とを熱交換し、室外熱交換器３４は冷媒と室外の空気とを熱交換する。この室内熱交換器３１は、室内機内に設けられており、室内熱交換器３１で熱交換された空気は図示しない室内機の送風機により送風され、冷暖房が行われる。
【００１４】
また、室内熱交換器３１の第２冷媒口３１ｂと、室外熱交換器３４の第２冷媒口３４ｂとは、膨張弁３６を介して接続されている。そして、三方切換弁１１の第２ポート１１ｂは、室内熱交換器３１の第２冷媒口３１ｂと膨張弁３６との間の冷媒流路３７に接続され、三方切換弁１１の第３ポート１１ｃは、室外熱交換器３４の第２冷媒口３４ｂと膨張弁３６との間の冷媒流路３８に接続されている。三方切換弁１１は、図１に図示する暖房運転モードの際には、第１ポート１１ａと第２ポート１１ｂとを連通させ、一方、図２に図示する冷房運転モードの際には、第１ポート１１ａと第３ポート１１ｃとを連通させる。前述の圧縮機１、四方切換弁６、冷媒対循環水熱交換器７、給湯用熱交換器８、開閉弁９、三方切換弁１１、シスターンタンク１９、循環ポンプ２１、室外熱交換器３４および膨張弁３６は、室外機４１に内蔵されている。
【００１５】
この様に構成されている実施例のヒートポンプ式冷暖房装置は、床暖房、給湯および室内機による空調の動作を行うことができる。
図１に図示する暖房運転モードの際には、開閉弁９は開いた状態であり、四方切換弁６は第１ポート６ａと第２ポート６ｂとが連通し、かつ、第３ポート６ｃと第４ポート６ｄが連通しており、三方切換弁１１は第１ポート１１ａと第２ポート１１ｂとが連通している。
【００１６】
そして、圧縮機１が稼働すると、圧縮機１から吐出された高い温度のガス状の冷媒は、四方切換弁６を介して室内熱交換器３１に流入し、この室内熱交換器３１で室内の空気と熱交換して、加熱された空気が室内機の送風機により送風されて室内を暖房する。また、圧縮機１からの冷媒は、開閉弁９を介して冷媒対循環水熱交換器７に流入し、この冷媒対循環水熱交換器７で循環水と熱交換し、加熱された循環水が循環ポンプ２１により床暖パネル１７に循環される。そして、温かくなった床暖パネル１７で床暖房が行われる。さらに、圧縮機１からの冷媒は、給湯用熱交換器８に流入し、この給湯用熱交換器８で水道水と熱交換し、加熱された水道水が給湯タンク２６に流入する。そして、給湯栓２８が開けられると、給湯栓２８から給湯される。冷媒対循環水熱交換器７および給湯用熱交換器８からの冷媒は三方切換弁１１を介して、室内熱交換器３１からの冷媒に合流し、膨張弁３６に流入する。この膨張弁３６で膨張して低温となった冷媒は、室外熱交換器３４で外気と熱交換して加熱され、四方切換弁６およびアキュムレータ３２を介して圧縮機１に戻る。この暖房運転モードの状態では、室内熱交換器３１による暖房、床暖房および給湯を行うことができる。
【００１７】
図２に図示する冷房運転モードの際には、開閉弁９は閉じた状態であり、四方切換弁６は第１ポート６ａと第４ポート６ｄとが連通し、かつ、第２ポート６ｂと第３ポート６ｃが連通しており、三方切換弁１１は第１ポート１１ａと第３ポート１１ｃとが連通している。
【００１８】
そして、圧縮機１が稼働すると、圧縮機１から吐出された高い温度のガス状の冷媒は、四方切換弁６を介して室外熱交換器３４に流入し、この室外熱交換器３４で外気と熱交換して、冷媒の温度が低下する。また、開閉弁９が閉じられているため、圧縮機１からの冷媒は冷媒対循環水熱交換器７に流れず、床暖房は行われない。さらに、圧縮機１からの冷媒は、図１の暖房運転モードと同様にして、給湯用熱交換器８に流入し、給湯が行われる。そして、給湯用熱交換器８からの冷媒は三方切換弁１１を介して、室外熱交換器３４からの冷媒に合流し、膨張弁３６に流入する。この膨張弁３６で膨張して低温となった冷媒は、室内熱交換器３１で室内の空気と熱交換し、冷媒により冷やされた空気が室内機の送風機により送風されて室内を冷房する。そして、室内熱交換器３１から流れ出た冷媒は、四方切換弁６およびアキュムレータ３２を介して圧縮機１に戻る。この冷房運転モードの状態では、室内熱交換器３１による冷房および給湯を行うことができる。
【００１９】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００２０】
（１）給湯タンク２６の補助熱源であるヒーター２７は設けることも可能であるし、また、設けないことも可能である。
（２）冷媒流路切換機構の具体的構造は、四方切換弁６および三方切換弁１１に限定されることなく、適宜変更可能である。
（３）冷媒対循環水熱交換器７の循環水は、床暖パネル１７に循環しているが、冷媒対循環水熱交換器７の循環水が流れる装置は、床暖パネル１７以外の温水暖房装置、たとえばラジエターなどでも可能である。
（４）給湯用熱交換器８は二重管構造であるが、冷媒と水道水とを熱交換させることができれば、必ずしも二重管構造である必要はない。ただし、二重管構造であることが好ましい。
【産業上の利用可能性】
【００２１】
空調用室内機および温水暖房装置の両者を作動させるヒートポンプ式冷暖房装置において、給湯用熱交換器を設けるとともに、適宜冷媒流路を切り換えているので、冷房時には空調冷房および給湯を行うことができるとともに、暖房時には、空調暖房、温水暖房および給湯を行うことができる。したがって、空調暖冷房、温水暖房および給湯を行う用途に適用できる。
【図面の簡単な説明】
【００２２】
【図１】図１は本発明における実施例のヒートポンプ式冷暖房装置の暖房運転モードの状態での概略の冷媒回路図である。
【図２】図２は図１のヒートポンプ式冷暖房装置が冷房運転モードに切り換わった状態での冷媒回路図である。
【符号の説明】
【００２３】
１  圧縮機
１ａ  圧縮機の吐出口
１ｂ  圧縮機の吸込口
６  四方切換弁
７  冷媒対循環水熱交換器
８  給湯用熱交換器
９  開閉弁（冷媒対循環水熱交換器用制御弁）
１１  三方切換弁
３１  室内熱交換器
３４  室外熱交換器
３６  膨張弁
３７  膨張弁と室内熱交換器との間の冷媒流路
３８  膨張弁と室外熱交換器との間の冷媒流路
【図１】
2005147409.tif 000003
【図２】
2005147409.tif 000004